(57)【要約】【課題】発光器を使用し演出効果のバリエーションを増やすことができる装置およびシステム等を提供すること。【解決手段】  コンサート会場等で観客が所持する発光器に対する制御情報を含む赤外線を発光する放射器である。この放射器は、複数の発光ダイオードを配列した光源を有し、前記光源の前方に、縦幅に対して横幅を十分に広く形成した細幅状の開口を有するノズルを設け、赤外光を当該ノズルを通過させた後に放射するように形成している。これにより、コンサート会場内にある放射器を用いて、帯状の発光域を形成しこれを波のように移動させるという照明効果的な演出を行うことができる。  【選択図】図１
2016082322.tif 000002
【特許請求の範囲】
【請求項１】
受信した制御情報に基づいて発光する発光器に対して前記制御情報を含む赤外線を発光する放射器本体を有し、
前記放射器本体は、前記制御情報を赤外線の発光によって生成する複数の発光ダイオードを平面状に配列した光源を有し、
前記光源の前方に、縦幅に対して横幅を十分に広く形成した細幅状の開口を有する筒状のノズルを設け、
前記光源が生成した赤外線を、前記ノズルの開口から放射するように構成したことを特徴とする赤外線信号放射器。
【請求項２】
前記ノズルを前記放射器本体に対して着脱可能に取り付けたことを特徴とする請求項１記載の赤外線信号放射器。
【請求項３】
前記ノズルの開口もしくは内部に、前記光源が放出した赤外光の幅を調節する調節手段を設けたことを特徴とする請求項１または請求項２記載の赤外線信号放射器。
【請求項４】
前記ノズルの全長を任意に変えることができる構造を有していることを特徴とする請求項１乃至請求項３の何れか一項記載の赤外線信号放射器。
【請求項５】
前記放射器本体の吊り下げ若しくは載置に用いるブラケットを有し、
前記放射器本体をブラケットに対して回動可能に設けるとともに、
前記ブラケットに対する放射器本体の取付角度を、予め定めた複数の角度の中から選択して固定できるように構成したことを特徴とする請求項１乃至請求項４の何れか一項記載の赤外線信号放射器。
【発明の詳細な説明】
【技術分野】
【０００１】
本発明は、赤外線信号放射器に関するものである。
【背景技術】
【０００２】
従来より、特許文献１記載の発光システムおよび発光指示装置が知られている。
当該発光システム等は、赤外線を制御用の信号として使用する発光指示装置および発光器を用いたシステムであって、コンサート会場等において様々な演出動作を行うことができるものである。例えば多数の観客に発光器を所時させ、会場を見渡せる場所から赤外線信号を照射する放射器（発光指示装置）を用いて、会場にある発光器の発光をコントロールするというものである。
当該発光システムは、発光器が有しているＩＤを含む制御信号によって発光器をコントロールするので、個々の発光器に対して個別に発光制御が行えるものである。また、図１８に示すように、放射器によって赤外線を照射した領域にある発光器のみを発光させることができ、観客がコンサートに参加できるような演出を行うことができるものである。
【先行技術文献】
【特許文献】
【０００３】
【特許文献１】特開２０１２−１６４４３９号公報
【発明の概要】
【発明が解決しようとする課題】
【０００４】
特許文献１には、発光システムに用いる放射器として比較的狭い範囲にのみ赤外光を照射するように構成したスポットタイプの放射器と、広い領域全体を照射するように構成された広域タイプの放射器が記載されている。そして、これらを用いてコンサート会場の一部の狭い範囲にある発光器の点灯を制御したり、会場にある全ての発光器を同時に点灯させたりすることができるものである。
しかしながら、上記の放射器では、広いコンサート会場全体に配置（観客が持っている）された発光器を制御することにより、直線的な帯状の発光領域（発光帯）を形成することや、このような発光帯が会場内を移動するような演出をすることはできなかった。本発明は、当該事情に鑑み発明されたものであって、会場全体に配置した発光器を制御することにより、演出効果のバリエーションを増やすことができる装置およびシステム等を提供することを課題とするものである。
また、前記発光帯の幅を変更しやすくする赤外線信号放射器の構造を提供することを課題とするものである。
【課題を解決するための手段】
【０００５】
上記課題を解決するために本願発明は以下の構成を有する。すなわち、受信機器である投光器に対して制御線信号を送信する赤外線放射器であって、
受信した制御情報に基づいて発光する発光器に対して前記制御情報を含む赤外線を発光する放射器本体を有し、
前記放射器本体は、前記制御情報を赤外線の発光によって生成する複数の発光ダイオードを平面状に配列した光源を有し、
前記光源の前方に、縦幅に対して横幅を十分に広く形成した細幅状の開口を有する筒状のノズルを設け、
前記光源が生成した赤外線を、前記ノズルの開口から放射するように構成したことを特徴とする。
当該発明は、光源によって生成した赤外線による制御信号の照射範囲を、赤外線放射器に取り付けたノズルによって成形することができるものである。
【０００６】
また、本発明は前記赤外線信号放射器において、前記ノズルを前記放射器本体に対して着脱可能に取り付けたことを特徴とする。本発明の赤外線信号放射器を用いる場合、会場の大きさに応じて制御信号の照射範囲を調節する必要がある。この場合、会場の大きさや形状に応じたノズルを形成しておくことで、使用する会場に応じた適切な運用が可能になる。
【０００７】
また、本発明は前記赤外線信号放射器において、前記ノズルの開口もしくは内部に、前記光源が放出した赤外光の幅を調節する調節手段を設けたことを特徴とする。
また、本発明は前記赤外線信号放射器において、前記ノズルの全長を任意に変えることができる構造を有していることを特徴とする。
上記の構成を有することにより、コンサートやイベント等で行われるイベントに応じた演出や、使用する会場に応じた適切な運用が可能になるものである。
【０００８】
また、本発明は前記赤外線信号放射器において、
前記放射器本体の吊り下げ若しくは載置に用いるブラケットを有し、
前記放射器本体をブラケットに対して回動可能に設けるとともに、
前記ブラケットに対する放射器本体の取付角度を、予め定めた複数の角度の中から選択して固定できるように構成したことを特徴とする。当該構成は、当該赤外線信号放射器の設置や設置に伴う調整を容易にすることができるという効果を有する。
【発明の効果】
【０００９】
本発明は、コンサート会場のような広い空間において、観客に所持させた発光器の発光を制御することができるものである。具体的には、発光器の発光によって会場内に帯状の発光領域を形成し、この発光領域を移動させるような演出が可能になる。本発明は、発光器によって従来にない演出効果を得ることができるという効果を有している。
また、会場の大きさや形状に応じたノズルを形成しておくことで、使用する会場に応じた適切な運用が可能であるという効果を有する。
さらに、赤外線信号放射器を設置し固定した後に、制御信号の放射方向を変更したり調節することが可能で有り、コンサートやイベント等で行われるイベントに応じた演出や、使用する会場に応じて適切な運用が可能になるという効果を有している。
【図面の簡単な説明】
【００１０】
【図１】本発明に係る赤外線信号放射器の一例を構成するノズルと本体部の外観図である。
【図２】本発明に係る赤外線信号放射器の一例を表す外観図である。
【図３】本発明に係る赤外線信号放射器に用いる他のノズルに関する説明図である。
【図４】本発明に係る赤外線信号放射器に用いる他のノズルに関する説明図である。
【図５】本発明に係る赤外線信号放射器の他の例を表す外観図である。
【図６】本発明に係る赤外線信号放射器の他の例を構成するノズルと本体部の外観図である。
【図７】本発明に係る赤外線信号放射器の他の例を表す外観図である。
【図８】図７に示した他の例に関する説明図である。
【図９】本発明に係る赤外線信号放射器の他の例に関する説明図である。
【図１０】本発明に係る赤外線信号放射器の取付例に関する説明図である。
【図１１】本発明に係る赤外線信号放射器の他の取付例に関する説明図である。
【図１２】本発明に係る赤外線信号放射器を用いた演出例の説明図である。
【図１３】本発明に係る赤外線信号放射器の使用例を表した説明図である。
【図１４】本発明に係る赤外線信号放射器を用いた演出例の説明図である。
【図１５】本発明に用いる発光器の説明図である。
【図１６】赤外線信号の内容に関する説明図である。
【図１７】赤外線信号を用いた制御内容を説明するフローチャートである。
【図１８】他の演出例を表した説明図である。
【図１９】本発明に係る発光指示装置の説明図である。
【発明を実施するための形態】
【００１１】
以下、本発明を実施するための形態について説明する。
図１は、一実施の形態に係る放射器１の外観図を表している。放射器１は、光源を内蔵した放射器本体２と、当該放射器本体２に取り付けるノズル３を有している。
放射器本体２は、複数の発光ダイオードＤを平面状に配置した光源４および駆動電源と、これらを収容する筐体５から構成されている。一例として、放射器本体２の筐体５には吊り下げ用のブラケット６が設けられている。当該ブラケット６は、図示した姿勢で吊り下げるために用いてもよいし、地上に載置する三脚等に図１１に示す姿勢のように天地を逆にして取り付けるために用いてもよい。当該放射器本体２は、後述するコントローラー１２０、駆動制御部１２８および波形増幅・整形手段１２９等を用いて発光制御が行われるものである。
【００１２】
放射器本体２は、横長の開口面７を有した発光部を有している。当該発光部には光源４として複数の発光ダイオードＤが配列されており、前記開口７を介して赤外光を前方に対して放射するようになっている。
光源４は、プリント配線基板上に縦、横等間隔で均一に配置された複数の発光ダイオードＤを設けた一または二以上の発光板によって構成している。図示した例では、縦横比を約１：２の外形に形成した発光板を横方向に２枚並べることで、縦幅（縦の長さ）に比べて横幅（横方向の長さ）が十分に長い縦横比が約１：４の平面状を成す光源を形成している。
【００１３】
前述したように放射器本体２の開口面７は光源４の形状に合わせて横長に形成されている。また、光源４を構成する個々の発光ダイオードＤは、前記開口面７から突出しないように放射器本体２の内部側に向かって後退した位置に設けられている。また、必要に応じて開口面７には発光ダイオードＤを保護するための透明カバーが設けられる。
当該構成の放射器本体２は、上記のように光源４が横方向に長く形成されており、搭載した発光ダイオードＤは開口面７の直近に配置される。発光ダイオードＤが砲弾型に形成した樹脂に封入した構造のものである場合、発光部分を覆う樹脂のレンズ効果によって放射方向に高い指向性を有するとともに、その周囲における一定の角度の範囲内においてもある程度の強い赤外光を放射する。このため、発光体までの距離に比例して赤外光が広範囲に広がることになり、上記放射器本体２をそのままコンサート会場のような広い場所で使用した場合には広範囲に赤外光が照射され、会場の広範囲において同一の制御内容に基づいて放射器が発光する。
【００１４】
本実施の形態では、赤外光を放射する放射器本体２の開口面７にノズル３が装着される。ノズル３は、先端に細長の前部開口８を形成したダクト状の中間部９と、当該中間部９の後端縁外周に設けたフランジ状の取付部１０を設けた構造を有している。取付部１０は、放射器本体２の前面部外周に装着され、ネジ（図示せず）等によって固定されるようになっている。また、取付部１０の内周部分には、ノズル３先端の開口８と連通する後端開口１１が設けられている。
【００１５】
図１に示したノズル３を前記放射器本体２の開口面７に装着すると、光源４で発生した赤外光は、後端開口１１の形状、中間部９の長さおよび前部開口８の形状によって定まる放射角度の範囲内で放射されることになる。
すなわち、当該ノズル３を備えた放射器１を使って、コンサート会場の観客を見下ろせる高さから赤外光を照射すると、会場内の狭い帯状の領域にある発光器を制御して発光させることができる。そして、例えば、後述する図１３に示すように放射器１のノズル３の向いている方向を動かすと、図１４に示すように会場内の観客が所持した発光器の発光によって形成された帯状の発光領域を移動させるとことができる。
また、野球場のように周囲のスタンドからフィールドを見下ろすような会場では、フィールドから観客席に向けて赤外光を照射し、フィールドを取り囲む観客が所持する投光器の発光を制御することも可能になる。例えば、放射器１の天地を横向きにしてノズルの長手方向を垂直にした後、スタンドに向けて一周するように赤外線の放射を行うと、これに伴いスタンド上に生成される光の帯を移動させることが可能になる。つまり、光のウェーブを発生させることができる。
このような発光器を用いた演出方法は従来になく、本発明に係る放射器は上記のような新たな演出効果、方法を提供できるものとなっている。
【００１６】
会場が広く、放射器１と発光器の距離が長い場合、また放射器１の高さが低く照射角度が浅い場合には発光器から遠くなるにしたがって投光される赤外光の幅が太くなる。このような場合には、図２に示したような中間部９ｂの長さが長く、かつ縦幅の狭いノズル３ｂを使用して指向性の高い照射光が照射されるようにする。
このように、使用状況に応じてノズルを交換若しくは取り外し可能となるように、放射器本体２とノズルとを着脱可能に構成することができる。
【００１７】
上記放射器本体２に装着可能に形成したノズルの他の例を図３に示す。図３に示したノズル２０は、前述したノズル３に変えて前記放射器本体２に装着できるものである。当該ノズル２０は、ダクト状に形成した中間部２１の上下幅を、前記ノズル３よりも狭く形成したものである。このノズル２０を用いると、会場内に投光される帯状の照射領域を前記ノズル３を使用した場合と比較して狭くすることができるものである。
【００１８】
図４は、放射器本体２に装着可能な他のノズル３０を表したものである。当該ノズル３０も、前述した各ノズルと同様に会場に向けて幅の狭い赤外光を照射するために形成したものである。
ノズル３０は、放射器本体２に装着するためのフランジ状の装着部３１を有し、当該装着部３１から前方に向かって設けられた扇状に広がる板状の２枚のフード３２，３３を有している。フード３２，３３は上下平行に配置されており、装着部３１内に形成した横長の孔３４の上縁および下縁とも平行であり、当該孔３４を通過した赤外光はフード３２，３３の間を通過し先端開口３５を介して放射される。
【００１９】
フード３２，３３の左右部分は、赤外線を放射する前方方向に対して一定の角度（一例として４５度）で外側に開いており、その端部は側壁によって塞がれている。一定の角度範囲で広がる赤外光は、先端開口３５を形成するフード３２，３３の先端縁３６，３７によって放射範囲が定まり、照射される赤外光が帯状に成形されることになる。ノズル３０は、前述したノズルとは異なり左右方向にも赤外光を照射できるようになっている。
前述したように、放射器本体２の内部には光源４を構成する複数の発光ダイオードＤが平面的に配置されている。そして、当該ノズル３０は先端縁３６，３７のどの位置においても、光源４内の最も近い発光ダイオードＤまでの距離がほぼ等しくなるように形成されている。この条件で先端縁３６，３７の形状を定めると、フード内で散乱する光線を除き、発光ダイオードＤの直接光の放射角度を概ね一定にすることができるので、帯状に赤外光を照射することができるようになっている。また、ノズル３０は、左右方向にも赤外光を照射できるようになっているので、赤外光が照射される帯状領域を長手方向に沿って長くすることができるようになっている。
【００２０】
図５は、遠方まで赤外線を到達させることができる広域型の放射器本体４０に、光線成形用のノズル４１を装着した例を示している。
放射器本体４０は、吊り下げ用のブラケット４２を有する筐体を有し、当該筐体の前面部に隣接して複数の発光ダイオードＤが平面的に配置されている。ブラケット４２が有する取付用の孔等はその記載を省略している。
放射器本体４０が有する発光ダイオードＤの搭載数は前述した放射器１の３倍程度の数であり、放射器本体４０の横幅は前述した放射器本体２と略同一であるが高さ（縦幅）は発光ダイオードＤの搭載数に応じて広くなっている。当該放射器本体４０を単体で使用すると、ほぼ発光ダイオードＤが有している指向性に応じて比較的広範囲に赤外光を照射可能にすることができる。
【００２１】
図６に示すように、広範囲に赤外光を照射する放射器本体４０の前面に、光線成形用のノズル４１が着脱可能に装着されるようになっており、当該ノズル４１の装着によって帯状の範囲に赤外光（制御信号）を照射できるようになる。
ノズル４１は、赤外光の照射口となる横幅が広く縦幅の狭い矩形の開口４３を有する筒状部４４と、当該筒状部４４を放射器本体４０の前面に配置するフランジ状の板体４５によって構成されている。
板体４５は、放射器本体４０の前面を覆うとともに、放射器本体４０の筐体に対してネジ等の取付手段（図示せず）によって取り付けられるものである。板体４５を放射器本体４０の前面に取り付けると、発光ダイオードＤが発光した赤外光が漏れるのを防止し、筒状部４４先端の開口４３のみから赤外線を照射するようになる。
【００２２】
図７（ａ）、図７（ｂ）に示した斜視図は、前述した遠方まで赤外線を到達させることができる広域型の放射器本体４０に、前述したものとは異なるノズル５１を装着した放射器の説明図である。
図７（ａ）、図７（ｂ）に示したノズル５１は、前述したノズル４１と同様に放射器本体４０の前面に配置した複数の発光ダイオードＤを塞ぐように装着される板体５２を有し、当該板体５２に対して垂直に光線成形用の筒状部５３を設けたものである。筒状部５３を取り付けた板体５２には、当該筒状部５３の内側形状に対応した開口が形成されている。板体５２は、放射器本体４０に対する筒状部５３の取り付けと、筒状部５３内を通過する赤外線を除く光線の漏洩を抑制する機能を備えていれば、その形態は板状に限るものではない。
【００２３】
筒状部５３は、板体５２に固定した内筒体５４と当該内筒体５４の外側に配置した外筒体５５を有している。外筒体５５は内筒体５４の外周に沿って一定の範囲で往復移動できるように取り付けられており、外筒体５４の移動によって筒状部５３の全長を変えることができるようになっている。
図示した例では、内筒体５４の左右両側面に設けた溝５６に外筒体５５の内壁面に設けた棒状の凸部５７を移動可能に嵌め合わせている。これにより、内筒体５４に対する外筒体５５が傾いたりすることなく円滑に移動できるようになっている。
また、内筒体５４上面には溝５８が設けられており、当該溝５８の内部を外筒体５５の後端部に設けた凸部５９が移動するようになっている。当該溝５８は外筒体５５の移動方向に沿って設けたものであるが、内筒体５４の先端に至る手前で閉じている。外筒体５５に設けた凸部５９は、当該外筒体５５が最も突出した位置において溝５８内の先端側端部６０と接触するようになっており、この位置を超えて移動しないようになっている。これにより、外筒体５５が内筒体５４から不用意に抜け落ちることがないようになっている。なお、図示した例は外筒体５５の移動や抜け落ち防止の一方法であるから、本発明が当該例に限定されるものではない。
【００２４】
前述した図７（ａ）および図７（ｂ）の状態を、放射器本体４０の内部機構を省略した断面図で表すと図８（ａ）および図８（ｂ）のようになる。筒状部５３の全長が変化すると筒状部５３先端の開口から照射される赤外光の照射可能角度（照射範囲）が変化する。
図に示した筒状部５３は高さが低く（縦幅Ｈが狭く）横幅Ｗが広い矩形の筒状体であるので（図７（ａ）、図７（ｂ）参照）、筒状部５３の全長を長くすることによって変化する照射可能角度は、幅の広い横幅Ｗ方向よりも幅の狭い縦幅Ｈ方向のほうが狭くなりやすい。筒状部５３が短い場合には縦幅方向の照射可能角度は図８（ａ）に示したＡ１である。これに対して、筒状部５３を長くすると照射可能角度は図８（ｂ）に示すＡ２となり、前記Ａ１よりも狭くなる。そして、このように照射可能角度が変化するということは、赤外線が照射される領域の形状や面積が変化するということである。
【００２５】
放射器本体４０から照射される赤外線は照明用の可視光線ではなく、後述する発光器を制御するための制御信号である。前述のように赤外線の照射範囲を変化させるということは、制御信号を有効に作用させる領域の形状や面積を任意に変化させるということである。すなわち、筒状部５３の全長を変化させることによって、領域全体に存在する多数の発光器の選択範囲を任意に変化させることができるということである。
なお、筒状部５３の全長は、例えばコンサートなどのイベント中に任意に変化させても良いし、一定の幅や面積を有する領域に対して制御信号を照射できるように調整した後に固定してもよいものである。また、上記の例では筒状部５３を内筒体５４と外筒体５５の２個の筒体によって構成しているが、重ね合わせる筒体の数は２個に限らないものである。さらに、筒体の形状も単純な立方体形状に限るものではなく、先端の開口形状も矩形に限らないものである。また、上記の例とは逆に、筒状部５３の構成を固定した外筒体５５に対して内筒体５４を移動するようにしてもよい。
【００２６】
図９は前記放射器本体４０と同様の機能を有する放射器本体４０ａの説明図である。当該放射器本体４０ａも、前述したものと同様のブラケット４２ａを有している。当該ブラケット４２ａは、放射器本体４０ａを他の構造物や三脚等に固定するための取付部７４と、当該取付部７４の左右に設けた板状のアーム部７５ａ、７５ｂを有したＵ字形状の金具である。当該ブラケット４２ａは、アーム部７５ａ、７５ｂに前記ボルト７６を挿通させる孔７７と、角度を維持するためのネジ７８を挿通させる孔７９を有している。当該孔７９は前記孔７７と取付部７４の間に設けている。また、アーム部７５ａ、７５ｂを両端に有する取付部７４は、他の構造物や三脚等に固定するために使用する複数個の孔８０を有している。
なお、図中では前述したノズル４１、５１の記載を省略しているが、このように省略した状態で使用してもよいし、放射器本体４０ａに前述したノズル４１、５１を装着して使用しても差し支えないものである。
【００２７】
放射器本体４０ａの左右の側面には、前記ブラケット４２ａの孔７７に挿通するボルト７６と結合するネジ穴８１を設けている。また、当該ネジ穴８１の上方であって、当該ネジ穴８１を中心とした円周上に配置した複数個のネジ穴８２（８２ａ、８２ｂ、８２ｃ、８２ｄ、８２ｅ）を、一定の角度（一例として１０度）間隔で（一例として５個）設けている。当該ネジ穴８２は、各アーム部７５ａ、７５ｂの孔７７の上方に設けた孔７９と対応する位置に設けたものである。当該孔７９は、各アーム部７５ａ、７５ｂがネジ穴８１を中心に回動することによって、前記ネジ穴８２ａ、８２ｂ、８２ｃ、８２ｄ、８２ｅの何れかと位置が一致するようになっている。
前記ブラケット４２ａを他の構造物や三脚等に固定している場合、アーム部７５ａ、７５ｂの孔７９を挿通させたネジ７８を前記ネジ穴８２ａ、８２ｂ、８２ｃ、８２ｄ、８２ｅの何れかと結合させることができる。これにより、放射器本体４０ａを予め設定された角度（図示した例では角度１０度ごと）から選択した角度で固定することができ、赤外線信号の放射方向を調節した上で固定できるようになっている。
【００２８】
図１０に示した各図は、前記ブラケット４２ａに設けた孔７９（ネジ７８）と、これに対応する前記ネジ穴８２（８２ａ、８２ｂ、８２ｃ、８２ｄ、８２ｅ）との位置関係によって変動する放射器本体４０ａの姿勢を表した説明図である。
孔７９をネジ穴８２ａに対応させてネジ７８によって固定すると、図１０（ａ）に示すように、放射器本体４０ａは赤外線信号の放射方向を水平方向よりも下（図示した例では水平に対して−２０度）を向いた状態で固定される。
孔７９をネジ穴８２ｂに対応させてネジ７８によって固定すると、図１０（ｂ）に示すように、放射器本体４０ａは赤外線信号の放射方向を水平方向よりもやや下（図示した例では水平に対して−１０度）を向いた状態で固定される。
【００２９】
孔７９をネジ穴８２ｄに対応させてネジ７８によって固定すると、図１０（ｃ）に示すように、放射器本体４０ａは赤外線信号の放射方向を水平方向よりもやや上（図示した例では水平に対して１０度）を向いた状態で固定される。
孔７９をネジ穴８２ｅに対応させてネジ７８によって固定すると、図１０（ｄ）に示すように、放射器本体４０ａは赤外線信号の放射方向を水平方向よりも上（図示した例では水平に対して２０度）を向いた状態で固定される。
【００３０】
また、図１１に示すように、取付部７４を放射器本体４０ａの下方に配置し各アーム部７５ａ、７５ｂが上を向くようにブラケット４２ａを取り付けることも可能である。ブラケット４２ａのアーム部７５ａ、７５ｂには、前述した孔７９の他に孔８３を設けている。当該孔８３は、放射器本体４０ａとブラケット４２ａを結合するボルト７６を挿通させる孔７７と、アーム部７５ａ、７５ｂの先端との間に設けたものである。
本発明に係る赤外線放射器は、図に示したように放射器本体４０ａの下方にブラケット４２ａを配置することが可能である。また、この場合も前述した例と同様に、孔８３とネジ穴８２（８２ａ、８２ｂ、８２ｃ、８２ｄ、８２ｅ）を利用して、放射器本体４０ａを一定の角度で固定できるようになっている。
【００３１】
図１２、図１３は、放射器１の使用状態のイメージを表した説明図であり、コンサート会場を模した広域面７０の斜め上方から、放射器１を用いて一定幅に制限した赤外光を照射している状態を表している。
図１３は、放射器１（放射器本体４０にノズル４１を取り付けたものも同様である。）の使用状態の説明図であり、固定されたブラケット６の取付部１２を中心として放射器１のノズル３先端を上下に回動させている状態を表している。この放射器１の回動は、人間の手による直接的な操作で行う場合の他、回動角度を制御できるようにエンコーダ付きのモーターを取り付けて回動を制御しても良い。横幅の広い会場では、複数個の放射器１を直線上に等間隔に配置し、各放射器を同期させて回動させることで横幅の広い会場であっても、途中で途切れることのない直線状の長い照射領域を形成することができるようになる。また、放射器１の姿勢制御は、他の照明設備や音響設備と同期するように、動作プログラムによって行われるようにしても良い。
【００３２】
放射器１によって広域面７０を照射すると、広域面７０上に帯状の照射領域７１が形成される。そして、放射器１の先端を上方に回動させると、図１４に示すように広域面７０上の照射領域７１が照射領域７２方向に連続的に移動し、再び放射器１の先端を下方に回動させると照射領域７１方向に照射領域が移動する。このように、放射器１の先端を上下に回動させると、広域面７０上に形成される帯状の照射領域が移動する。
赤外線が照射される広域面７０上の帯状の領域には、照射された赤外線に含まれる制御信号によって発光する多数の発光器が配備されている。具体的には、発光器を手にした大勢の観客がコンサート会場の観客席としての広域面上に配置されている。
【００３３】
次に、前記放射器１によって制御される発光器１０３について説明する。図１５（ａ）は発光器１０３の概略ブロック図であり、図１５（ｂ）は発光器１０３の構造図を表している。主な構成として発光器１０３は、受光手段１１２、波形取得（波形増幅・整形）手段１１３、駆動制御部１１４、発光手段１１５（１１５ａ、１１５ｂ、１１５ｃ）、電源１１６を有している。
受光手段１１２は、フォトダイオード等の受光素子によって形成されたものであり、前記赤外線を放射する放射器が出力した赤外光（制御信号）を受光することができるものである。波形取得（波形増幅・整形）手段１１３は、受光手段１１２によって受光した赤外光を所定レベルの電圧となるように調整するとともに波形を整形し、変調された信号から制御コードを抽出する抽出手段として機能するものとなっている。
【００３４】
駆動制御部１１４は、発光器１０３が有する電気的な各手段を制御するものであって、主として前記制御コードに基づき、発光手段１１５を発光させる駆動制御を行う手段となっている。発光手段１１５は、可視光を発光するＬＥＤ等の光源によって形成されたものであり、本実施の形態ではそれぞれ赤・青・緑の光を発光するＬＥＤ（１１５ａ、１１５ｂ、１１５ｃ）によって構成されている。なお、発光器の形態はペン型に限らず、身体に装着するブレスレット型やペンダント型など種々の形態がある。
【００３５】
次に、制御信号に含まれる制御コードについて説明する。制御コードは、放射器によって送信される赤外線信号に含まれている。赤外線信号に含まれる制御コードの一例を図１６に示す。図１６の上段は赤外線信号に含まれる制御コードの一例、第２段目はリーダーコードおよびコードＡの部分を時間軸方向に拡大した説明図、第３段目は第２段目に示したリーダーコードとコードＡをさらに時間軸方向に拡大した説明図、第４段目は発光される赤外線信号の最小パルス幅を表している。
図１６に示す通り、赤外線信号には制御コードとして、リーダーコードおよびコードＡ〜Ｇ等として示した７つのコードおよびストップビットが含まれている。リーダーコードとストップビットは、制御コードの始まりと終わりを認識させるコードであり、当該リーダーコードとストップビットの間に配置された各コードが、発光器１０３を駆動する制御命令となるものである。
【００３６】
コードＡはカスタムコードである。当該コードは、自社（メーカー）の製品であることを判別するメーカー固有の照合コードとなっている。当該照合コードは発光器１０３が記憶しているコードの一致・不一致を検証するためのものであり、一致した場合にのみ発光器１０３が他の制御コードを命令として受け付けるようにするものである。また、生産時期などの管理も兼ねたコードとなっている。
【００３７】
コードＢはピンポイントコードである。当該コードは、放射器の種別を表す照合コードとなっており、発光器１０３が有するＩＤコードとの一致・不一致を判別するものとなっている。
本実施の形態に係る発光器１０３は、比較的狭い範囲にのみ赤外光を照射するように構成した前述のものとは異なるスポットタイプの放射器と、広い領域全体を照射するように構成された前述したような広域タイプの放射器が使用可能になっている。当該コードによって、赤外線信号が放射器の種別を認識できるようになっている。
【００３８】
コードＣ〜ＥはハードＩＤコードである。当該コードは、必要に応じて発光器１０３内のメモリに予め記憶させておくコードであり、発信されたコードＣ〜Ｅとの一致、不一致を照合するためのコードである。一致した場合には特定の動作モードに切り替える、特定の制御信号を無視あるいは実行する等の個別の制御を行えるようにするものである。例えば、発光器１０３をクライアントやタレント違いその他の用途によって使い分けができるように割り振られたコードにしたり、端末ＩＤと同様に同じハードＩＤコードを受光した場合に発光や調光の制御データの指示に従いＬＥＤを発光させるという使い方ができるようになっている。
コードＦ〜Ｇは発光、調光制御コードである。発光器１０３に搭載されている３色のＬＥＤ１１５ａ、１１５ｂ、１１５ｃの発光スピードを制御するコードであり、発光と消灯信号の繰り返しで制御するようになっている。
【００３９】
次に、図１７に示したフローチャートを用いて、赤外線信号を受信した発光器１０３の主な動作について説明する。
発光器１０３の電源スイッチを入れると、無信号時に動作するように記憶されている発光パターンでＬＥＤ１１５ａ、１１５ｂ、１１５ｃを点灯あるいは点滅させるとともに（Ｓ１）、受光手段１１２によって赤外線信号を受信可能な状態にする。
赤外線信号を受信すると、波形取得手段１１３によって制御コードを抽出し、駆動制御部１１４が信号に含まれるコードＡが発光器１０３が記憶している識別情報に含まれる照合コードと一致しているか否かを判定する（Ｓ２）。当該照合コードには、放射器が出力するコードＡおよびコードＣ〜Ｅが含まれる。判定の結果、抽出した制御コードにコードＡが含まれていない場合（発光器１０３が記憶している識別情報と一致しない）には、再び赤外線信号の受信可能な状態（Ｓ１）に戻り、コードＡが発光器１０３が記憶している識別情報と一致した場合には次のステップとしてコードＢの内容を判定する（Ｓ４）。
【００４０】
コードＢは、本実施の形態では「１」あるいは「０（１以外）」の何れかを示すコードとなっており、「１」の場合には放射器が「スポットタイプ」のものであり、「１以外」のコードである場合には「スポットタイプ」以外（本実施の形態では「広域タイプ」）のタイプであると判断する。
「コードＢ＝１」である場合には、現在の発光色・調光値を駆動制御部１１４内の記憶領域に保存（Ｓ５）した後、発行色制御コードであるコードＧによって指定された内容でＬＥＤ（１１５ａ、１１５ｂ、１１５ｃ）を発光させる（Ｓ６）。そして、この発光と同時にタイマを０．５秒にセットし（Ｓ７）、当該タイマによる設定時間をカウントし、セットした時間の経過とともに前記ステップＳ５で保存した発光色・調光値に基づいて各ＬＥＤを発光させる（Ｓ９）。そして、当該ステップＳ９の後、再び赤外線信号の受信可能な状態（Ｓ１）に戻る。
【００４１】
本実施の形態では、上記０．５秒にセットされたタイマ時間は予め発光器１０３に記憶された固定データとなっている。このタイマが有効になっている一定時間については、コードＢ＝１とともに送信された他の制御コードに基づいた内容で発光が行われる。そして、この時間は発光指示装置から制御信号が送信されていても割り込みを許容しないようになっている。
なお、上記タイマ時間は固定値として設定されたものとなっているが、発光器に調節手段を設け任意の時間に設定できるようにしても差し支えないものである。また、上記制御コード「コードＢ＝１」の送信とともに発光指示装置からタイマ時間を設定する信号を送信し、当該送信された設定時間に伴ったタイマ動作をさせてもよいものである。
【００４２】
前記「コードＢ＝１」の検出（Ｓ４）によってステップＳ６で設定された発光色・調光値による発光を行ってから、「コードＢ＝１」の検出前の状態に戻るまでの処理（Ｓ８）は、実際には複雑な処理になっているが、図４では要約した内容を示している。当該ステップＳ８で行っているのは、「コードＢ＝１」に伴って行われた発光を終了させるまでの処理であり、発光器１０３が連続的に「コードＢ＝１」を受信可能な状態であったり、断続的に受信可能な状態であったり、赤外線信号を全く検出できない状態になった場合などの種々の条件に対応した処理を行っている。そして、当該処理（Ｓ８）は、図１８に示したような演出を行うための処理である。
【００４３】
図１８は、一例としてコンサート会場における個々に発光器１０３を手に持った観衆を表しており、図１８（ａ）は各人が所有している発光器１０３が全て同じ発行色、調光値で発光している状態若しくは消灯状態である場合を表している。この状態は、通常、広域タイプの発光指示装置によって会場全体に制御信号を送信した結果得られるものである。
図１８（ａ）の状態において、別途設けた「スポットタイプ」の放射器によって観衆を照射すると、制御信号は図１８（ｂ）に示すように一部の領域Ｗにのみに到達する。そうすると会場に分散している発光器１０３が、「スポットタイプ」放射器から赤外線信号の受信しているものと受信していないものに別れ、領域Ｗに存在する発光器１０３のみが「スポットタイプ」の放射器による制御コードによって所定の発光を行う。そして、上記の例では赤外線信号の受信したのち発光器１０３は０．５秒間だけ所定の色で発光した後に、発光前の状態に戻るようになっている。
【００４４】
そして、「スポットタイプ」の放射器が赤外線信号を照射する領域Ｗを連続的に移動させると、領域Ｗの移動に伴ってその領域に存在する発光器１０３が順次所定の色で発光し、０．５秒後に元の状態に戻る。これが演出的にどのように表現されるかというと、「スポットタイプ」の放射器が示した領域が発光器１０３の発光によってスポットライトを浴びたように明るくなり、領域Ｗの移動に伴って、尾を引くように領域Ｗの移動した後も僅かな時間だけ残像のような発光した後に消灯若しくは元の発光状態にすることができるものである。
【００４５】
また、コードＢは、発光器１０３の個体情報（ハードＩＤ）を表すコードＣ〜Ｅの有無に優先するものであって、ハードＩＤが異なる複数種類の発光器１０３が存在している場合であっても、コードＢ＝１であると判定することによってハードＩＤの一致・不一致にかかわらず「スポットタイプ」の発光指示装置２が発信する信号に対して優先的に従うようになっている。コードＢは他の制御コードに優先して実行される最優先コードとなっている。
【００４６】
前記ステップＳ４で「コードＢ＝１」ではない場合には、次に「コードＣ＝１」（発光器１０３のハードＩＤがコードＣと同一）であるか否かが判定され（Ｓ１０）、「コードＣ＝１」である場合にはコードＧの値に合った色を点灯するとともに、コードＦの内容応じた調光を行う（Ｓ１１）。
コードＦは３ｂｉｔのデータであって８段階（消灯〜最大照度での点灯）で明るさを指定できるようになっている。また、コードＧも３ｂｉｔデータであって３色のＬＥＤを調光して８種類（レッド、グリーン、ブルー、イエロー、シアン、マセンタ、ホワイト、ブラック（消灯））の色を発光できるようになっている。
【００４７】
前記ステップＳ１０において「コードＣ＝１」でない場合には、さらに他のハードＩＤと一致するか否かを判定するため、発光器１０３のハードＩＤが「コードＤ」と一致するか否かの判定（Ｓ１２）、発光器１０３のハードＩＤが「コードＥ」と一致するか否かの判定（Ｓ１３）を行う。
なお、当該フローチャートには示していないが、「コードＤ」あるいは「コードＥ」の一致に伴って実行される処理を適宜設けることができるようになっており、当該処理が終わると赤外線信号の受信可能状態（Ｓ２）に戻るようになっている。
また、上記処理において、何れのハードＩＤもコードＣ〜コードＥと一致しない場合には、赤外線信号の受信可能状態（Ｓ２）に戻る。
【００４８】
大きなコンサート会場では、発光器１０３を所持した観衆が広範囲に分布しているので、観衆が所持している全て発光器１０３を同期させて発光させる場合には前述した放射器を用いる。図１９（ａ）は、当該放射器の操作を行うコントローラー１２０のパネル面を表している。図１９（ｂ）は当該放射器の電気的仕様を表すブロック図である。発光ダイオードＤを多数個搭載した放射器１と、当該放射器１を制御コントロールするコントローラー１２０、駆動制御部１２８および波形増幅・整形手段１２９によって構成されている。また、必要に応じて一台のコントローラーに複数台の放射器を接続し、これを同期させて発光制御する場合もある。
【００４９】
コントローラー１２０のパネル面には、一例として電源スイッチ１２１、ＩＤ設定ダイヤル１２２、スポットモードのＯＮ／ＯＦＦスイッチ１２３、調光ボリウム１２４、点滅スピード調整ボリウム１２５、発行色の指示スイッチ１２６（１２６ａ、１２６ｂ、１２６ｃ、１２６ｄ、１２６ｅ、１２６ｆ、１２６ｇ、１２６ｈ）、消灯スイッチ１２７が設けられている。
ＩＤ設定ダイヤル１２２は、前述したコードＣ〜コードＥのようなハードＩＤを設定する際に使用するＩＤ設定手段である。放射器は、上記コントローラー１２０の各スイッチ等を用いて、発光器１０３における発光色の選択、発光色の調光、明るさの調節、消灯、点滅速度の調節等の設定を行い、これらを制御信号として生成した後に所定の赤外線信号を生成し放射器を介して出力させるようになっている。
【００５０】
なお、前述した放射器の使用例は、その用法の一つとして平面的な領域に対して上方から赤外線を照射するものである。一方、ドーム型の球場や体育館施設では、すり鉢状に観客席が設けられている場合もある。このような場合、前記放射器の姿勢を変えて、すり鉢状の空間の中央付近から周囲に向かって上下方向に長い帯状の赤外光を照射するようにしてもよい。そして、放射器を上下垂直方向を軸として３６０度回転させることで、すり鉢状の観客席を一周するように発光域を移動させることができるようになる。このように、本発明に係る発光域を帯状に形成することができる放射器は、様々な演出を行うことができるものとなっている。
【産業上の利用可能性】
【００５１】
本発明は、赤外線を受光して発光する発光器の制御に使用可能であり、コンサートなどの演出に用いられる照明設備の一つとしても利用可能である。
【符号の説明】
【００５２】
１  放射器
２  放射器本体
３  ノズル
４  光源
５  筐体
６  ブラケット
７  開口面
８  開口
９  中間部
１０  取付部
１１  後端開口
２０  ノズル
３０  ノズル
４０  放射器本体
４１  ノズル
４２  ブラケット
１０３  発光器
Ｄ  発光ダイオード
【図１】
2016082322.tif 000003
【図２】
2016082322.tif 000004
【図３】
2016082322.tif 000005
【図４】
2016082322.tif 000006
【図５】
2016082322.tif 000007
【図６】
2016082322.tif 000008
【図７】
2016082322.tif 000009
【図８】
2016082322.tif 000010
【図９】
2016082322.tif 000011
【図１０】
2016082322.tif 000012
【図１１】
2016082322.tif 000013
【図１２】
2016082322.tif 000014
【図１３】
2016082322.tif 000015
【図１４】
2016082322.tif 000016
【図１５】
2016082322.tif 000017
【図１６】
2016082322.tif 000018
【図１７】
2016082322.tif 000019
【図１８】
2016082322.tif 000020
【図１９】
2016082322.tif 000021